(57)【要約】  【課題】股擦れを防止することができる汎用的な男性用下着を提供する。  【解決手段】男性用下着１は、伸縮性を有する布製の筒形下着本体１０であって、その側面には陰茎及び陰嚢を挿入して内部に収納するための挿入口１１が形成され、人体への装着時に股間の前面から下後方に向けて略前後に延在して設置される筒形下着本体１０と、人体への装着時に、筒形下着本体１０の前側端部付近と前記後側端部付近とを人体の右側回りで連結する第一牽引紐３１と、筒形下着本体１０の前側端部付近と後側端部付近とを人体の左側回りで連結する第二牽引紐３６とを有する装着部材３０と、を備える。【選択図】図１
2015209606.tif 000002
【特許請求の範囲】
【請求項１】
陰茎及び陰嚢を収容する男性用下着において、
伸縮性を有する布製の筒形下着本体であって、その側面には陰茎及び陰嚢を挿入して内部に収納するための挿入口が形成され、人体への装着時に股間の前面から下後方に向けて略前後に延在して設置される筒形下着本体と、
人体への装着時に、前記筒形下着本体の前側端部付近と後側端部付近とを人体の右側回りで連結する第一牽引紐と、前記筒形下着本体の前側端部付近と後側端部付近とを人体の左側回りで連結する第二牽引紐とを有する装着部材と、
を備えることを特徴とする男性用下着。
【請求項２】
前記筒形下着本体は、人体への装着時に前方に位置する前側端部が開口端となっており、人体への装着時に内部に挿入された陰茎を前記前側開口から適宜外部へ露出可能に構成されていることを特徴とする請求項１記載の男性用下着。
【請求項３】
前記筒形下着本体は、筒形に編まれた筒形編み物から形成されることを特徴とする請求項１又は２記載の男性用下着。
【請求項４】
前記装着部材は、前記筒形下着本体との接続部のうち、少なくとも前記前側端部との接続部が着脱可能に構成されていることを特徴とする請求項１乃至３の何れかの１項に記載の男性用下着。
【請求項５】
前記装着部材は、前記筒形下着本体の前側端部付近を人体の前方から上方に引っ張る牽引紐を備えていることを特徴とする請求項１乃至４何れか１項に記載の男性用下着。
【請求項６】
前記筒形下着本体は、人体への装着時に後方に位置する後側端部が開口端となっており、人体への装着時に内部に挿入された陰嚢を前記後側開口から適宜外部へ露出可能に構成されていることを特徴とする請求項１乃至５の何れかに１項記載の男性用下着。
【請求項７】
前記筒形下着本体は、その内部の前記挿入口よりも前側に、人体への装着時に陰茎が貫通する内筒が設置されていることを特徴とする請求項１乃至６の何れか１項記載の男性用下着。
【発明の詳細な説明】
【技術分野】
【０００１】
本発明は、男性の下半身に装着する男性用下着に関する。
【背景技術】
【０００２】
従来から、快適さ等の機能性や見た目の美観を追求するために、男性の下半身用下着として様々な形態の下着、例えばブリーフタイプやトランクスタイプの男性用下着が提供されている。
【０００３】
一方、本発明者らは、下記特許文献１〜３に開示されているように、筒型布状部材に挿入した状態で陰茎を股間に押しつけてしっかりと安定して固定するための男性用下着を提供している。
【先行技術文献】
【特許文献】
【０００４】
【特許文献１】特許第４１７７４４８号公報
【特許文献２】登録実用新案第３１４３２８５号公報
【特許文献３】特許第４７３３２０２号公報
【発明の概要】
【発明が解決しようとする課題】
【０００５】
従来のブリーフタイプやトランクスタイプの男性用下着では、陰嚢等が両足の付け根部分に密着するため、汗ばんで不衛生になったり、股擦れが発生したりするといった問題がある。
【０００６】
本発明者が開発した筒型布状部材を用いた男性用下着によれば、このような問題を解決できるが、陰茎を下向きに引っ張って固定する特殊な構造であるため、広く一般の男性に受け入れてもらうのが困難な面があった。
【０００７】
本発明は、このような課題に鑑みてなされたものであり、股擦れを防止することができる汎用的な男性用下着を提供することを目的とする。
【課題を解決するための手段】
【０００８】
上記課題を解決するための本発明に係る男性用下着は、陰茎及び陰嚢を収容する男性用下着において、伸縮性を有する布製の筒形下着本体であって、その側面には陰茎及び陰嚢を挿入して内部に収納するための挿入口が形成され、人体への装着時に股間の前面から下後方に向けて略前後に延在して設置される筒形下着本体と、人体への装着時に、前記筒形下着本体の前側端部付近と後側端部付近とを人体の右側回りで連結する第一牽引紐と、前記筒形下着本体の前側端部付近と後側端部付近とを人体の左側回りで連結する第二牽引紐とを有する装着部材と、を備えることを特徴とする。
【発明の効果】
【０００９】
本発明に係る男性用下着によれば、股擦れ等を防止することができる汎用的な下着を提供することができる。
【図面の簡単な説明】
【００１０】
【図１】図１は、本発明の実施形態に係る男性用下着を装着した状態の斜視図である。
【図２】図２は、本発明の実施形態に係る筒形下着本体を装着した状態の断面図である。
【図３】図３は、本発明の実施形態に係る筒形下着本体の斜視図である。
【図４】図４は、本発明の実施形態に係る装着部材の平面図である。
【図５】図５は、本発明の実施形態に係る男性用下着の装着手順を説明するための平面図である。
【図６】図６は、本発明の実施形態の変形例１に係る男性用下着を装着した状態の斜視図である。
【図７】図７は、本発明の実施形態の変形例２に係る男性用下着を装着した状態の斜視図である。
【図８】図８は、本発明の実施形態の変形例３に係る装着部材の平面図である。
【図９】図９は、本発明の実施形態の変形例４に係る筒形下着本体の斜視図である。
【発明を実施するための形態】
【００１１】
以下、図面を参照しながら本発明の実施の形態について詳細に説明する。図１は、本発明の実施形態に係る男性用下着を装着した状態の斜視図である。図１において、人体を二点鎖線で示している。図２は、本発明の実施形態に係る筒形下着本体を装着した状態の断面図である。
【００１２】
図３は、本発明の実施形態に係る筒形下着本体の斜視図であり、筒形下着本体を円筒形状に広げた状態を示している。図４は、本発明の実施形態に係る装着部材を展開した状態の平面図である。
【００１３】
男性用下着１は、筒形下着本体１０と、筒形下着本体１０を人体に装着するための装着部材３０とを備えている。筒形下着本体１０は、円筒形に編まれたストッキング素材の布から形成されており、人体への装着時には、股間の下方において略前後方向に延在するように位置する。筒形下着本体１０の両端は開口端となっており、前後両端には、前側開口１６及び後側開口１７がそれぞれ形成されている。
【００１４】
本実施形態に係るストッキング素材の布は、高い伸縮性を有しており、伸縮率は2.5倍である。筒形下着本体１０を構成する素材は、ストッキング素材の布以外の布を適宜用いることができるが、装着時の保持性や快適性を実現するためには、伸縮性の高い布を用いることが望ましく、望ましくは1.5倍以上の伸縮率、さらに望ましくは2倍以上の伸縮率を有する布を用いるのが良い。
【００１５】
筒形下着本体１０の前側開口１６及び後側開口１７では、端部がほつれないように、三つ折り縫いがされている。具体的には、筒形下着本体１０の前側開口１６の縁部は、三つ折りに折り返され、押さえ紐１６１により縫い押さえられており、後側開口１７の縁部は、三つ折りに折り返され、押さえ紐１７１により縫い押さえられている。押さえ紐１６１及び押さえ紐１７１は、ストッキング素材の布を丸めて作られた伸縮性を有するストッキング製紐である。
【００１６】
筒形下着本体１０の側面には、人体への装着時に陰茎Ｐや睾丸を含む陰嚢Ｎを筒体内部に挿入するための挿入口１１が形成されている。挿入口１１は、筒形下着本体１０の側面をその延在方向（縦方向）に所定の長さ開口して形成されており、筒形下着本体１０の側面の縦方向中心よりも後側に寄った位置に形成されている。人体への装着時、筒形下着本体１０は、陰茎Ｐ等が挿入される挿入口１１が上面（身体側）に位置することになる（図２参照）。
【００１７】
また、縦方向に切断することで開口された挿入口１１の両脇には、その周囲を補強するための補強紐１２が、それぞれ挿入口１１の開口縁に沿って縦方向に並縫いにより縫い込まれている。なお、挿入口１１の開口縁では、ほつれないように縁部分を折り返したうえで並縫いされている。
【００１８】
筒形下着本体１０を構成するストッキング素材の布は、伸縮率が2.5倍程度と高く、強い力で引っ張られると組織が破壊されて、伸びきった状態となったり、破れたりする。本実施形態のように、強度のある補強紐１２を縫い込んでおくことで、筒形下着本体１０を補強することができ、特に縦方向に引っ張られた際の組織の破壊を防止することができる。
【００１９】
筒形下着本体１０の四隅（前側開口１６及び後側開口１７の部分）には、装着部材３０を接続固定するための前側引掛輪１４ａ，１４ｂ、後側引掛輪１５ａ，１５ｂが設置されている。図１に示すように、人体に装着した状態では、股間の前方から後下方に向けて延在して位置する筒形下着本体１０は、前側引掛輪１４ａ，１４ｂが装着部材３０により人体の前側から左右斜め上方に引っ張られ、後側引掛輪１５ａ，１５ｂが装着部材３０により人体の後側から左右斜め上方に引っ張られる。
【００２０】
なお、図３に示すように、引掛輪１４，１５の前後側開口１６，１７での開口周りの位置に関して、前側引掛輪１４ａ，１４ｂは、前側開口１６を略円形に開いた状態で、最上部Ｘを0°として左右に80°の位置に設置されている。よって、筒形下着本体１０の前側開口１６において、人体への装着時に、両側の前側引掛輪１４により挟まれる上側（身体側）の領域は160°となり、両側の前側引掛輪１４により挟まれる下側（外側）の領域は200°となる。
【００２１】
また、後側引掛輪１５ａ，１５ｂは、後側開口１７を略円形に開いた状態で、最上部Ｙを0°として左右に60°の位置に設置されている。よって、筒形下着本体１０後側開口１７において、人体への装着時に、両側の後側引掛輪１５により挟まれる上側（身体側）の領域は120°となり、両側の後側引掛輪１５により挟まされる下側（外側）の領域は240°となる。
【００２２】
引掛輪１４，１５が装着部材３０により前方又は後方から引っ張り上げられると、布製の筒形下着本体１０のうち左右の引掛輪１４，１５により上側（身体側）で挟まれた領域は人体に押し付けられ、左右の引掛輪１４，１５により下側（外側）で挟まれた領域が実質的に陰茎Ｐや陰嚢Ｎに密着して保持する。
【００２３】
よって、陰茎Ｐや陰嚢Ｎを締め付けすぎないように、本実施形態のように、引掛輪１４，１５を最上部Ｘ，Ｙ0°から左右に90°の位置よりも上側（身体側）に設置し、両側の引掛輪１４，１５により下側（外側）で挟まれた領域を上側よりも広くするのが望ましい。なお、引掛輪１４，１５の開口周りの位置を調整することで、男性用下着１を装着したときの陰茎Ｐや陰嚢Ｎの締め付け具合を調整することができる。
【００２４】
また、装着部材３０により引掛輪１４，１５の部分を斜め上方に引っ張って布製筒形下着本体１０を股間の前面から後下方に向けて略前後方向に延在するように装着したときに、挿入口１１は上面に位置することになる。
【００２５】
装着部材３０は、一本の長尺の紐から構成されており、ここでは、装着時に人体の右側に位置する部分（図４において上側半分）を第一牽引紐３１、装着時に人体の左側に位置する部分（図４において下側半分）を第二牽引紐３６と称する。人体への装着時に、第一牽引紐３１は、筒形下着本体１０の右側の引掛輪１４ａ，１５ａに接続され、第二牽引紐３６は、筒形下着本体１０の左側の引掛紐１４ｂ、１５ｂに接続される。
【００２６】
第一牽引紐３１及び第二牽引紐３６は、押さえ紐１６１，１７１と同様にストッキング素材の布を丸めて作った伸縮性の高いストッキング製紐である。よって、牽引紐３１，３６の伸縮性も高く、本実施形態では伸縮率は2.5倍である。
【００２７】
図４に示すように、第一牽引紐３１は、装着部材３０の端部（図４において上側の左側端部）に固定設置された後側留め具３３と、後側留め具３３から所定の距離離れた位置にスライド可能に設置された前側留め具３２とを備えている。
【００２８】
後側留め具３３は、筒形下着本体１０の右側の後側引掛輪１５ａに着脱可能に接続される部材であり、本実施形態では、女性用ブラジャーの接続などに利用されるゼットカンを用いている。前側留め具３２は、筒形下着本体１０の右側の前側引掛輪１４ａに着脱可能に接続される部材であり、本実施形態では、ゼットカンを用いている。
【００２９】
第二牽引紐３６は、第一牽引紐３１と同様の構造であり、装着部材３０の端部（図４において下側の左側端部）に固定設置された後側留め具３８と、後側留め具３８から所定の距離離れた位置で第二牽引紐３６にスライド可能に設置された前側留め具３７とを備えている。
【００３０】
後側留め具３８は、筒形下着本体１０の左側の後側引掛輪１５ｂに着脱可能に接続される部材であり、本実施形態では、ゼットカンを用いている。前側留め具３７は、筒形下着本体１０の左側の前側引掛輪１４ｂに着脱可能に接続される部材であり、本実施形態では、ゼットカンを用いている。
【００３１】
なお、留め具３２，３３，３７，３８は、牽引紐３１，３６に対して全て固定するように設置しても良いし、全てスライド可能に設置しても良い。また、所定の留め具３２，３３，３７，３８のみをスライド可能に設置しても良い。何れかの留め具３２，３３，３７，３８をスライド可能に設置することで、装着者の体型に合わせてサイズ調整を行うことができる。
【００３２】
前側留め具３２が前側引掛輪１４ａに接続され、後側留め具３３が後側引掛輪１５ａに接続され、前側留め具３７が前側引掛輪１４ｂに接続され、後側留め具３８が後側引掛輪１５ｂに接続されて、男性用下着１が人体に装着されると、装着部材３０は、図１に示すような状態で人体に装着される。
【００３３】
具体的には、第一牽引紐３１の後側留め具３３と前側留め具３２との間の部分は、人体の太腿部分の右側で前後に延在し、筒形下着本体１０の右側の後側引掛輪１５ａと前側引掛輪１４ａとを連結して引き寄せる。第二牽引紐３６の後側留め具３８と前側留め具３７との間の部分は、人体の太腿部分の左側で前後に延在し、筒形下着本体１０の左側の後側引掛輪１５ｂと前側引掛輪１４ｂとを連結して引き寄せる。
【００３４】
第一牽引紐３１の前側留め具３２と第二牽引紐３６の前側留め具３７との間の部分（連結部分）は、人体の腰の部分において腰の後側に回り込むように延在し、筒形下着本体１０の右側の前側引掛輪１４ａと左側の前側引掛輪１４ｂとを連結して引き寄せる。
【００３５】
このように、装着部材３０は、筒形下着本体１０の前側部分と後側部分とを人体の右側回り及び左側回りで連結すると共に、右側及び左側のそれぞれにおいて、太腿の部分と腰の部分の上下二つの経路で連結しているため、筒形下着本体１０を安定してしっかりと人体に装着し、陰茎Ｐ及び陰嚢Ｎを確実に保持することができる。
【００３６】
続いて、男性用下着１を構成する筒形下着本体１０の製造方法について説明する。本実施形態では、まず、女性用ストッキングの筒状の部分の一部を切断して、所定の長さの筒状体を切り出す。サイズについては、例えば、筒状体を構成するストッキング素材の布が縮んだ状態で、長さ20cm程度、筒直径（前後開口１６，１７の直径に相当）5.5cm程度の筒状体として切り出す。
【００３７】
次に、切り出した筒状体の両端がほつれないように、筒状体の前後の開口端部を折り返して三つ折り縫いを行う。三つ折り縫いには、押さえ紐１６１，１７１を用いる。これにより、前側開口１６及び後側開口１７が形成される。次に、筒状体の側面に上述した挿入口１１を形成するために、筒状体側面の所定の位置を縦方向（筒体の延在方向）に所定の長さ切断する。このように、両端を三つ折り縫いにした結果、筒形下着本体１０の筒長は16cmになる。
【００３８】
挿入口１１の位置や大きさについては、例えば、筒状体が縮んだ状態で、筒形下着本体１０の前側開口１６の前側端部より8cm程度の位置から、5cm程度切断して挿入口１１を形成する。よって、筒形下着本体１０の後側開口１７の後側端部から挿入口１１の後側端部までの長さは3cm程度となる。なお、挿入口１１の形成後、切断箇所の始点と終点を糸で縛ることで伝線を防止するのが望ましい。
【００３９】
また、挿入口１１の縁がほつれないように、前側開口１６及び後側開口１７の部分と同様に、挿入口１１の両側縁部に対して補強紐１２を用いて三つ折り縫いを行う。このとき、補強紐１２は、挿入口１１の両側縁部分だけでなく、筒形下着本体１０の側面において、前側開口１６から後側開口１７まで全体にわたって二本の補強紐１２が略平行に縫い込まれている。
【００４０】
以上により、筒形下着本体１０が製造される。もちろん、筒形下着本体１０の製造方法は上記方法に限定されず、適宜他の方法を用いることができる。例えば、筒形下着本体１０の素材は、ストッキング素材の布に限らず、綿や化学繊維製の布を用いても良く、織物や不織布等の布を用いても良い。
【００４１】
また、本実施形態では、最初から筒形に編まれたストッキング素材の布を用いているが、平らな布生地を丸めて円筒状にし、付き合わせた両端部を縦方向に縫い合わせることで、円筒体の筒形下着本体１０を形成するようにしても良い。
【００４２】
但し、縫い合わせて形成する場合には、筒形下着本体１０の陰茎Ｐと擦れ合う部分（例えば、陰茎Ｐの両サイドに位置する部分等）に縫い目が存在すると、陰茎Ｐが縫い合わせ用の固い糸に接触し続けることで、装着者が痛みを感じてしまうおそれがある。
【００４３】
よって、縫い合わせて筒形下着本体１０を形成する場合には、縦方向の縫い目が、陰茎Ｐとあまり接触しない部分、例えば、筒形下着本体１０の側面のうち上面側（挿入口１１が形成されている側）に位置するように構成するのが望ましい。例えば、図３において、筒形下着本体１０の上面側（身体側）に位置する最上部Ｘから最上部Ｙの間で縫い合わせることが望ましい。
【００４４】
続いて、男性用下着１を人体に装着する際の装着方法の一例について説明する。図５は、本実施形態に係る男性用下着の装着手順を説明するための平面図である。装着にあたっては、まず、図５に示すように、装着部材３０の後側留め具３３を筒形下着本体１０の後側引掛輪１５ａに接続すると共に、同じく後側留め具３８を後側引掛輪１５ｂに接続する。
【００４５】
接続後、前側開口１６を前方に位置させた状態で筒形下着本体１０を股間の下に人体の前後方向に延在するように配置し、さらに陰茎Ｐ先端を挿入口１１から筒形下着本体１０内に挿入する。挿入の際には、通常は、陰茎Ｐ先端が前側開口１６に向かうように内部に挿入する。
【００４６】
このとき、挿入口１１の前側端から前側開口１６までは縮んだ状態で8cm程度あるため、陰茎Ｐの挿入により筒形下着本体１０が伸びることを考慮すれば、陰茎Ｐの先端が前側開口１６から外に出ることなく、全体が筒形下着本体１０内部に収納される。陰茎Ｐの挿入後、同じく挿入口１１から陰嚢（睾丸を含む）Ｎを筒形下着本体１０内に挿入して収納する。このとき、陰茎Ｐは、挿入口１１より前側開口１６に向けて収容され、陰嚢Ｎは、挿入口１１より後側開口１７側に収容される。
【００４７】
なお、陰茎Ｐ及び陰嚢Ｎの挿入口１１からの筒形下着本体１０内部への挿入にあたっては、装着者が挿入口１１及び前側開口１６を一体となって大きく開くように両手で広げた状態で、陰茎Ｐ及び陰嚢Ｎを挿入口１１及び前側開口１６にまとめて通し、その後、筒形下着本体１０を陰茎Ｐ及び陰嚢Ｎに被せるようにすれば、容易に装着が可能である。
【００４８】
続いて、第一牽引紐３１の前側留め具３２を後方から人体の右側を回して前方に引っ張り、筒形下着本体１０の前側引掛輪１４ａに引っ掛けて留める。続いて、同様に、第二牽引紐３６の前側留め具３７を後方から人体の左側を通して前方に引っ張り、筒形下着本体１０の前側引掛輪１４ｂに引っ掛けて留める。
【００４９】
これにより、人体の右側の太腿部分で筒形下着本体１０の前側部分と後側部分とを連結し、人体の左側の太腿部分で筒形下着本体１０の前側部分と後側部分とを連結すると共に、第一牽引紐３１と第二牽引紐３６との連結部分（前側留め具３２と前側留め具３７との間の部分）が人体の後側に回されることにより、筒形下着本体１０が人体に装着される。後側に回された連結部分は、腰骨よりも上側に配置することで、筒形下着本体１０の前側部分を斜め上方に引っ張るように作用する。
【００５０】
そして、第一牽引紐３１や第二牽引紐３６の高さ等の位置を適宜調節すれば、男性用下着１の装着が完了する（図１及び図２参照）。このように、男性用下着１の装着は、足を一切上げる必要なく、両足を地面に付けた状態のままで行うことができる。
【００５１】
装着後、筒形下着本体１０は、装着部材３０により、前側端部が前方から左右斜め上方に引っ張られ、後側端部が後方から左右斜め上方に引っ張られており、図１に示すように、筒形下着本体１０の前側端部は股間の前面（陰茎Ｐの上側）に位置し、後側端部は陰嚢Ｎの後側に位置する。筒形下着本体１０内に挿入された陰茎Ｐは、上向きになった状態で人体の前面で保持されている。
【００５２】
もちろん、装着の手順は適宜変更可能であり、筒形下着本体１０の後側部分だけでなく、前側部分と装着部材３０との接続を済ませてから、装着部材３０を人体に対して少しずり下げた状態で、陰茎Ｐ及び陰嚢Ｎの筒形下着本体１０内への挿入を行うようにしても良い。なお、装着部材３０が伸縮性の高い紐から構成されており、装着者が用を足したりする場合等には、筒形下着本体１０を装着した状態のまま、陰茎Ｐ及び陰嚢Ｎを筒体内から抜いて用を足した後、そのまま再度挿入口１１より陰茎Ｐを筒形下着本体１０内に収容することも可能である。
【００５３】
以上、詳細に説明した男性用下着１によれば、陰茎Ｐ及び陰嚢Ｎを挿入口１１から筒形下着本体１０内に挿入した状態で安定的に外部から見えないように保持することができる。これにより、陰嚢Ｎと足の付け根の内股との間に筒形下着本体１０を構成するストッキング素材の布が介在し、両者が直接接触しないので、股擦れを防止することもできる。
【００５４】
また、円筒形状の筒形下着本体１０は、縦横双方に高い伸縮性を有するストッキング素材から構成され、人体への装着時に、縦方向に細長く引き伸ばされるため、外側から見えるように露出する表面積は非常に小さい。よって、ふんどしや競泳用水着の下に筒形下着本体１０を装着すると、外部から見えることなく陰茎Ｐを安定した姿勢に維持するサポーターとして機能し、陰茎Ｐがふんどしや競泳用水着の外に出てしまうのを確実に防止することができる。
【００５５】
また男性用下着１を装着する際に、筒形下着本体１０を装着部材３０で人体に対して牽引する作業は、両足を地面に付けたまま行うことができ、一切足を上げる必要がない。すなわち、ブリーフ等の通常の男性用下着のように、装着の際に足を上げて穴に通す必要がないため、片足で立つのが困難な高齢者等であっても、体に負担をかけることなく、容易に男性用下着１を装着することができる。
【００５６】
また、筒形下着本体１０の前側には前側開口１６が形成されているので、男性用下着１の装着者が小便をする際には、陰茎Ｐの先端を前側開口１６から外部に露出させれば、男性用下着１を脱ぐことなく着用したまま小便を行うことも可能である。
【００５７】
また、筒形下着本体１０は、筒形に編まれた筒形編み物から構成されており、筒状体を形成するための縦方向の縫い目が存在しないため、陰茎Ｐや陰嚢Ｎが硬い縫い糸に繰り返し接触することで装着者が痛みを感じるといった問題が生じない。
【００５８】
（変形例１）
続いて、本発明の実施形態の変形例１について説明する。図６は、本変形例１に係る男性用下着を装着した状態の斜視図である。本変形例１では、装着部材３０Ａを構成する第一牽引紐３１Ａと第二牽引紐３６Ａとが連結されておらず、独立した紐となっていることを特徴とする。
【００５９】
よって、図６に示すように、装着部材３０Ａは、太腿部分においてのみ筒形下着本体１０の前側部分と後側部分とを人体の左側及び右側回りで連結する。本変形例１によれば、男性用下着１が簡易な構成となり、装着もより手軽に行うことができる。
【００６０】
（変形例２）
続いて、本発明の実施形態の変形例２について説明する。図７は、本変形例２に係る男性用下着を装着した状態の斜視図である。本変形例２では、装着部材３０Ｂを構成する第一牽引紐３１Ｂと第二牽引紐３６Ｂとの連結部分（前側留め具３２と前側留め具３７との間の部分）の長さが上記実施形態よりも格段に長くなっている。
【００６１】
そして、人体への装着時に、この連結部分が装着者の腹側を通過して両肩から首の後ろに回されて装着される。なお、装着の際には、この連結部分が人体の前側に位置する状態で筒形下着本体１０の前側部分と装着部材３０Ｂとを接続し、その後、接続部分を首の後側に回すようにすれば良い。本変形例２によれば、より安定して筒形下着本体１０を人体に装着させることができる。
【００６２】
（変形例３）
続いて、本発明の実施形態の変形例３について説明する。図８は、本変形例３に係る装着部材の平面図である。本変形例３では、装着部材３０Ｃが、装着部材３０Ｃの全体の長さを調節可能に、第一牽引紐３１Ｃと第二牽引紐３６Ｃとを連結する長さ調整部材４０を備えることを特徴とする。
【００６３】
長さ調節部材４０は、第一牽引紐３１Ｃと第二牽引紐３６Ｃとを、前側留め具３２と前側留め具３７との間の所望の場所で連結して、長さ調整可能な一本の紐状の装着部材３０Ｃを形成する。第一牽引紐３１Ｃの連結箇所や、第二牽引紐３６Ｃの連結箇所を変えることで、装着部材３０Ｃの全長を調整することができる。
【００６４】
長さ調節部材４０は、第一牽引紐３１Ｃに設置される連結引掛輪４１と、第二牽引紐３６Ｃに設置される連結留め具４２とを備えている。連結引掛輪４１は、第一牽引紐３１Ｃに対して、前側留め具３２よりも連結部分側でスライド自在に設置されている。連結留め具４２は、第二牽引紐３６Ｃに対して、前側留め具３７よりも連結部分側でスライド自在に設置されている。
【００６５】
連結留め具４２は、第二牽引紐３６Ｃに対してスライド可能に設置されたゼットカンであり、ゼットカンを連結引掛輪４１に引っ掛けることで、第一牽引紐３１Ｃと第二牽引紐３６Ｃとを一本の紐として連結することができる。
【００６６】
このとき、連結引掛輪４１を第一牽引紐３１Ｃの所定の場所に位置させたり、連結留め具４２を第二牽引紐３６Ｃの所定の場所に位置させたりすることで、装着部材３０Ｃの全長を装着者の体のサイズに合わせて所望の長さに設定することができる。
【００６７】
このように、本変形例３によれば、装着者の体型に合わせて、装着部材３０Ｃのサイズ調整を行うことができ、一つの製品で色々な体型の装着者に対応することができる。なお、長さ調節部材４０の代わりに、別体に形成された第一牽引紐３１Ｃと第二牽引紐３６Ｃの端部同士を直接結び合わせることで長さ調整を行うようにしても良い。
【００６８】
（変形例４）
続いて、本発明の実施形態の変形例４について説明する。図９は、本変形例４に係る筒形下着本体１０Ｄの斜視図である。本変形例４に係る筒形下着本体１０Ｄは、その内部にさらに内筒５０を備えたことを特徴とする。
【００６９】
内筒５０は、筒形下着本体１０Ｄの半分程度の直径の短い円筒体（例えば、縮んだ状態で、直径3cm程度、長さ3cm程度）であり、筒形下着本体１０Ｄと同様にストッキング素材の布から形成されている。内筒５０は、筒形下着本体１０Ｄの内部で平行に延在するように、その四隅が筒形下着本体１０Ｄの内壁に固定紐５１により縫い付けられている。また、内筒５０は、その前側端部が筒形下着本体１０Ｄの前側開口１６から2cm程度中に入った場所に位置している。
【００７０】
本変形例４に係る男性用下着を装着する際には、陰茎Ｐを挿入口１１から筒形下着本体１０Ｄ内に挿入する際、さらに、陰茎Ｐの先端から内筒５０を貫通させる。このように、陰茎Ｐを筒形下着本体１０Ｄよりも細径の内筒５０内に通しておくことで、さらに安定して陰茎Ｐを保持することができる。
【００７１】
以上、変形例も含めて本発明の実施形態について説明したが、本発明の実施の形態は、上記実施形態に限定されるものではなく、本発明の主旨を逸脱しない範囲内で種々の変形が可能である。例えば、男性用下着を構成する部材のサイズや形状は適宜変更可能である。
【００７２】
また、装着部材の紐と筒形下着本体とを接続する部材は、留め具（ゼットカン）と連結引掛輪との組み合わせに限らず、種々の接続部材を採用することができる。接続部材としては、例えば、ボタン類でも良いし、紐同士を手で結ぶ構成でも良い。また、接続部材として、ストッキング等を吊り下げるガーターベルト用のガーターボストンを用いれば、筒形下着本体に引掛輪等のフックを設置することなく、装着部材と筒形下着本体とを接続することができる。
【００７３】
また、上記実施形態では、装着部材と筒形下着本体との接続箇所を全て着脱可能に構成しているが、所定の接続箇所を縫い付ける等により外すことのできない固定式にしても良い。
【００７４】
但し、男性用下着を装着する際に、足を穴に通すことなく、両足を地面に付けたままで装着可能にするためには、筒形下着本体の前側端部又は後側端部の少なくとも一方を着脱可能に構成する必要がある。さらに、筒形下着本体を装着した状態で後側端部の接続箇所を着脱するのは困難であるため、前側端部を着脱可能に構成するのが望ましい。
【００７５】
また、上記実施形態では、筒形下着本体の前側端部及び後側端部の双方が開口端になっているが、何れか一方の端部を縫い付けるなどして閉じても良いし、双方の端部を閉じるように構成しても良い。
【００７６】
また、上記実施形態では、肌触りを重視し、装着部材の牽引紐として、ストッキング素材の布を丸めた紐を使用しているが、一般的な下着等で使用されている軟らかいゴム紐や、このゴム紐を縫い合わせたもの等、適宜他の素材の紐を用いることができる。
【００７７】
また、上記実施形態では、補強紐、押さえ紐としてもストッキング素材の布を丸めた紐を使用しているが、同様に、ゴム紐や、このゴム紐を縫い合わせたもの等、適宜他の素材の紐を用いることができる。また、上記実施形態の補強紐及び押さえ紐を設置する代わりに、適度の伸縮性を有する縁部を一体で編み上げて補強等を行うようにしても良い。
【符号の説明】
【００７８】
１      男性用下着
１０    筒形下着本体
１１    挿入口
１２    補強紐
１４    前側引掛輪
１５    後側引掛輪
１６    前側開口
１６１  押さえ紐
１７    後側開口
１７１  押さえ紐
３０    装着部材
３１    第一牽引紐
３２    前側留め具
３３    後側留め具
３６    第二牽引紐
３７    前側留め具
３８    後側留め具
４０    長さ調節部材
４１    連結引掛輪
４２    連結留め具
５０    内筒
５１    固定紐
【図１】
2015209606.tif 000003
【図２】
2015209606.tif 000004
【図３】
2015209606.tif 000005
【図４】
2015209606.tif 000006
【図５】
2015209606.tif 000007
【図６】
2015209606.tif 000008
【図７】
2015209606.tif 000009
【図８】
2015209606.tif 000010
【図９】
2015209606.tif 000011
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
陰茎及び陰嚢を収容する男性用下着において、
伸縮性を有する布製の筒形下着本体であって、その側面には陰茎及び陰嚢を挿入して内部に収納するための挿入口が縦方向に所定の長さ開口して形成され、人体への装着時に股間の前面から下後方に向けて略前後に延在して設置される筒形下着本体と、
人体への装着時に、前記筒形下着本体の前側端部付近と後側端部付近とを人体の右側回りで連結する第一牽引紐と、前記筒形下着本体の前側端部付近と後側端部付近とを人体の左側回りで連結する第二牽引紐とを有する装着部材と、
を備えることを特徴とする男性用下着。
【請求項２】
前記筒形下着本体は、前記挿入口の周囲を補強するために、前記挿入口の開口縁に沿って縦方向に縫い込まれた補強紐をさらに備えることを特徴とする請求項１記載の男性用下着。
【請求項３】
前記挿入口は、前記筒形下着本体の側面を縦方向に切断することで形成されていることを特徴とする請求項１又は２項記載の男性用下着。
【手続補正２】
【補正対象書類名】明細書
【補正対象項目名】０００８
【補正方法】変更
【補正の内容】
【０００８】
上記課題を解決するために、本発明に係る男性用下着は、陰茎及び陰嚢を収容する男性用下着において、伸縮性を有する布製の筒形下着本体であって、その側面には陰茎及び陰嚢を挿入して内部に収納するための挿入口が縦方向に所定の長さ開口して形成され、人体への装着時に股間の前面から下後方に向けて略前後に延在して設置される筒形下着本体と、人体への装着時に、前記筒形下着本体の前側端部付近と後側端部付近とを人体の右側回りで連結する第一牽引紐と、前記筒形下着本体の前側端部付近と後側端部付近とを人体の左側回りで連結する第二牽引紐とを有する装着部材と、を備えることを特徴とする。